(57)【要約】【課題】  電子機器の電源を切ることなく、バッテリパックの交換を実現することができるバッテリ装着装置を提供する。【解決手段】  装着部３と電気的に接続されるコネクタ部３２を有する本体部３１と、一方の面に第１のバッテリパック４が装着される第１のバッテリ装着部４３と、他方の面に第２のバッテリパック４が装着される第２のバッテリ装着部４４とを有するバッテリ装着パネル部３３と、第１または第２のバッテリ装着部４３、４４のいずれか一方に、バッテリパック４を装着可能とする第１の状態と、第１及び第２のバッテリ装着部４３、４４のそれぞれにバッテリパック４を装着可能とする第２の状態となるように、本体部３１に対してバッテリ装着パネル部３３を回動支持する支持機構３４とを備える。【選択図】  図６
2009205980.tif 000002
【特許請求の範囲】
【請求項１】
携帯型電子機器の装着部に装着されるバッテリ装着装置において、
上記携帯型電子機器の装着部に装着されたとき該携帯型電子機器と電気的に接続されるコネクタ部を有する本体部と、
一方の面側に、上記携帯型電子機器に電力を供給する第１のバッテリパックが装着される第１のバッテリ装着部が設けられ、他方の面側に、該携帯型電子機器に電力を供給する第２のバッテリパックが装着される第２のバッテリ装着部が設けられたバッテリ装着パネル部と、
上記バッテリ装着パネル部を、上記第１のバッテリ装着部又は上記第２のバッテリ装着部のいずれか一方に、上記第１及び第２のバッテリパックのいずれか一方を装着可能とする第１の状態と、該第１のバッテリ装着部と該第２のバッテリ装着部とのそれぞれに該第１のバッテリパックと該第２のバッテリパックとを装着可能とする第２の状態となるように、上記本体部に対して該バッテリ装着パネル部を回動支持する支持機構とを備えるバッテリ装着装置。
【請求項２】
上記支持機構は、上記本体部と上記バッテリ装着パネル部とを連結する２軸回転ヒンジであり、
上記２軸回転ヒンジは、上記バッテリ装着パネル部を上記本体部に対して回動させる第１の回動軸と、該第１の回動軸と直交する第２の回動軸とを有することを特徴とする請求項１記載のバッテリ装着装置。
【請求項３】
上記本体部と上記バッテリパック装着パネル部のいずれか一方に係合凸部が設けられ、いずれか他方に係合凹部が設けられ、該係合凸部と該係合凹部とが係合されて該本体部と該バッテリ装着パネル部とを上記第１の状態に保持することを特徴とする請求項１記載のバッテリ装着装置。
【請求項４】
上記第１のバッテリパックと上記第２のバッテリパックとが上記バッテリ装着パネル部に装着されたときに、電流の逆流を防止する保護回路をさらに備えることを特徴とする請求項１記載のバッテリ装着装置。
【請求項５】
上記コネクタ部は、上記本体部から着脱可能となっていることを特徴とする請求項１記載のバッテリ装着装置。
【請求項６】
装着部が設けられた機器本体と、
上記装着部に対して着脱可能なバッテリ装着装置とを備え、
上記バッテリ装着装置は、
上記携帯型電子機器の装着部に装着されたとき該携帯型電子機器と電気的に接続されるコネクタ部を有する本体部と、
一方の面側に、上記携帯型電子機器に電力を供給する第１のバッテリパックが装着される第１のバッテリ装着部が設けられ、他方の面側に、該携帯型電子機器に電力を供給する第２のバッテリパックが装着される第２のバッテリ装着部が設けられたバッテリ装着パネル部と、
上記バッテリ装着パネル部を、上記第１のバッテリ装着部又は上記第２のバッテリ装着部のいずれか一方に、上記第１及び第２のバッテリパックのいずれか一方を装着可能とする第１の状態と、該第１のバッテリ装着部と該第２のバッテリ装着部とのそれぞれに該第１のバッテリパックと該第２のバッテリパックとを装着可能とする第２の状態となるように、上記本体部に対して該バッテリ装着パネル部を回動支持する支持機構とを備えることを特徴とする携帯型電子機器。
【発明の詳細な説明】
【技術分野】
【０００１】
本発明は、ビデオカメラ等の電子機器の装着部に装着されるバッテリ装着装置に関する。
【背景技術】
【０００２】
携帯型電子機器であるビデオカメラには、ユーザが片手で持つことができる程度の大きさの小型のものがある。この種のビデオカメラには、機器本体の背面部にバッテリパックが装着されることが多い。
【０００３】
この種のビデオカメラにあっては、バッテリパックの交換の際、残量の少ない電池を取り外すために、ビデオカメラの電源を切り、電源を切った後に、それまで装着されていたバッテリパックを取り外し、別のバッテリパックを装着することにより、バッテリ交換をする必要がある。
【０００４】
しかしながら、このようなバッテリパックの交換方法の場合、必ずビデオカメラの電源を切る必要があり、連続撮影を行うことができない。そこで、電源を切らずに、バッテリ交換を行う方法としては、特許文献１のような方法がある。特許文献１に記載された電池パック交換方法では、第１の電池パックと第２の電池パックとを保持することができる長尺状の電源端子部を有し、使用中の第１の電池パックをスライドさせることにより、第２の電池パックを電源端子部に装着し、第２の電池パックの装着後に、第１の電池パックを取り外し、電池パック交換を完了する。
【０００５】
ところで、ビデオカメラでは、撮像時間、用途等に合わせて、様々な容量のバッテリパックが市販されている。これらは、１回の撮影でバッテリパック交換が必要ない程度に大容量のものもあれば、撮像可能時間は短いが軽量化されたものまで、様々存在する。しかしながら、用途等に応じて、様々な容量のバッテリパックを用意することは、費用がかかる。
【０００６】
【特許文献１】特開２００１−２２９８９２号公報
【発明の開示】
【発明が解決しようとする課題】
【０００７】
そこで、本発明は上述の実情に鑑みてなされたものであり、ビデオカメラなどの電子機器の電源を切ることなく、バッテリパックの交換を実現することができるとともに、２つのバッテリパックを装着し、この２つのバッテリパックを使用し、撮影時間を長くすることができ、連続撮影を実現するバッテリ装着装置及びこのバッテリ装着装置を装着した携帯型電子機器を提供することを目的とする。
【課題を解決するための手段】
【０００８】
上述した目的を達成するために、本発明に係るバッテリ装着装置は、携帯型電子機器の装着部に装着されるバッテリ装着装置において、上記携帯型電子機器の装着部に装着されたとき該携帯型電子機器と電気的に接続されるコネクタ部を有する本体部と、一方の面側に、上記携帯型電子機器に電力を供給する第１のバッテリパックが装着される第１のバッテリ装着部が設けられ、他方の面側に、該携帯型電子機器に電力を供給する第２のバッテリパックが装着される第２のバッテリ装着部が設けられたバッテリ装着パネル部と、上記バッテリ装着パネル部を、上記第１のバッテリ装着部又は上記第２のバッテリ装着部のいずれか一方に、上記第１及び第２のバッテリパックのいずれか一方を装着可能とする第１の状態と、該第１のバッテリ装着部と該第２のバッテリ装着部とのそれぞれに該第１のバッテリパックと該第２のバッテリパックとを装着可能とする第２の状態となるように、上記本体部に対して該バッテリ装着パネル部を回動支持する支持機構とを備える。
【０００９】
また、本発明に係る携帯型電子機器は、装着部が設けられた機器本体と、上記装着部に対して着脱可能なバッテリ装着装置を備え、上記バッテリ装着装置は、上記携帯型電子機器の装着部に装着されたとき該携帯型電子機器と電気的に接続されるコネクタ部を有する本体部と、一方の面側に、上記携帯型電子機器に電力を供給する第１のバッテリパックが装着される第１のバッテリ装着部が設けられ、他方の面側に、該携帯型電子機器に電力を供給する第２のバッテリパックが装着される第２のバッテリ装着部が設けられたバッテリ装着パネル部と、上記バッテリ装着パネル部を、上記第１のバッテリ装着部又は上記第２のバッテリ装着部のいずれか一方に、上記第１及び第２のバッテリパックのいずれか一方を装着可能とする第１の状態と、該第１のバッテリ装着部と該第２のバッテリ装着部とのそれぞれに該第１のバッテリパックと該第２のバッテリパックとを装着可能とする第２の状態となるように、上記本体部に対して該バッテリ装着パネル部を回動支持する支持機構とを備えることを特徴とする。
【発明の効果】
【００１０】
本発明は、本体部と携帯型電子機器とが装着され、コネクタ部が携帯型電子機器と電気的に接続され、バッテリ装着パネル部の第１又は第２のバッテリ装着部のいずれかに一のバッテリパックが装着された第１の状態から、例えば、電源を切らずにバッテリパックの交換をしたいと所望する場合に、バッテリ装着パネル部を支持機構を介して操作し、まず、第２の状態にすることができる。このとき、第２の状態のバッテリ装着パネル部は、バッテリ装着パネル部のバッテリパックが装着されていない第１又は第２のバッテリ装着部に、さらにもう１つバッテリパックを装着する。そして、２つのバッテリパックが装着されたバッテリ装着パネル部から、上記一のバッテリパックを取り外す。そして、再びバッテリ装着パネル部を支持機構を介して操作し、第１の状態とすることができ、バッテリパックの交換を完了することができる。このようにして、本発明は、携帯型電子機器の電源を切らずにバッテリパックの交換を行うことができ、バッテリパック交換時においても携帯型電子機器の連続使用を実現することができる。
【００１１】
また、本発明では、２つのバッテリパックを装着した第２の状態で使用することもでき、２個のバッテリパックを同時に装着して携帯型電子機器を使用することができ、２個のバッテリパックの容量分だけ撮影が可能となり、長時間の撮影を実現することができる。そのため、本発明では、市販されている最大容量のバッテリパックよりも長い撮像時間を実現できる。さらに、本発明では、残量が少ないバッテリパックを複数装着することにより、残量の少ないバッテリパックを用いての連続撮影を実現することができる。
【発明を実施するための最良の形態】
【００１２】
以下、本発明を適用したバッテリ装着装置について、図面を参照しながら詳細に説明する。バッテリ装着装置１は、図１（Ａ）に示すように、ビデオカメラ２の装着部３（図２参照）に装着されて使用され、図１（Ｂ）に示すように、バッテリ装着装置１のバッテリ装着パネル部３３にバッテリパック４を１つ装着したり、図１（Ｃ）に示すように、バッテリ装着装置１のバッテリ装着パネル部３３にバッテリパック４を２つ装着するようにして使用するものである。なお、バッテリ装着装置１は、ビデオカメラ２に装着されることに限らず、携帯型の記録再生装置などのバッテリパックからの電力が供給されることにより駆動する携帯型電子機器であればいかなるものであってもよい。
【００１３】
本発明に係るバッテリ装着装置１の説明の前に、ビデオカメラ２と、バッテリ装着装置１を用いる場合あるいは用いない場合にビデオカメラ２に装着されるバッテリパック４について説明をする。
【００１４】
ビデオカメラ２
ビデオカメラ２は、図１及び図２に示すように、機器本体５を有し、この機器本体５の前面部上側にＣＣＤ（Charge-Coupled Devices）、ＣＭＯＳ（Complementary Metal-Oxide Semiconductor）センサ等の撮像素子、撮像レンズ、ズームレンズ等のレンズ群等で構成された撮像部６が設けられている。また、機器本体５の一方の側面部には、ＬＣＤ（Liquid Crystal Display）、有機ＥＬ（Electro Luminescent）等で形成された表示パネル７が設けられている。表示パネル７は、機器本体５の一方の側面部に２軸ヒンジ等によって開閉及び回動可能に取り付けられており、機器本体５に対して開いた状態にすることによって、撮像操作を行うことができるようになっている。さらに、機器本体５の背面から上面にかけて、撮像開始、撮像停止、静止画撮影等を行うための操作ボタン群８が設けられている。
【００１５】
また、機器本体５には、ハードディスクドライブ、半導体メモリ等の記憶手段が内蔵されており、撮像された映像信号や音声信号を保存できるようになっている。なお、機器本体５には、記憶手段として、ハードディスクドライブや半導体メモリに代わって又はハードディスクドライブに加えて光ディスク、光磁気ディスク、テープカートリッジ等のリムーバル記録媒体の記録再生装置を設けるようにしてもよい。
【００１６】
以上のように構成されたビデオカメラ２は、機器本体５の背面部に、機器本体５に対して電力を供給するバッテリパック４が装着される装着部３が設けられている。この装着部３は、図２に示すように、略矩形をなす凹部であり、更に、バッテリパック４が挿入される側の機器本体５の底面部側が開放されている。この装着部３には、機器本体５上面側に位置する上面部３ａと底面部３ｂとがなすコーナ部にバッテリパック４の出力端子と係合されて電気的に接続される端子部３ｃが設けられている。
【００１７】
また、装着部３には、底面部３ｂと両側面部３ｄ，３ｅとがなすコーナ部に、バッテリパック４を装着部３に支持するための係合溝３ｆが複数形成されている。各係合溝３ｆは、装着部３の内側と機器本体５の底面部側が開放されてなり、バッテリパック４を、機器本体５の底面部側から挿脱できるようになっている。
【００１８】
機器本体５の底面部には、装着部３に隣り合って、バッテリパック４の出力端子１２が装着部３の端子部３ｃに電気的に接続された状態を保持するためのロック機構９が設けられている。このロック機構９は、装着部３にバッテリパック４が装着された状態において、機器本体５の底面部側の装着部３の開放された部分でバッテリパック４をロックすることによって、装着部３よりバッテリパック４が不用意に脱落することを防止している。ロック機構９は、装着部３に装着されたバッテリパック４をロックするロック部材９ａを有し、このロック部材９ａをロック方向に付勢することにより、装着部３の底面部３ｂより突出され、装着されるバッテリパック４を装着する。
【００１９】
バッテリパック４
次に、バッテリパック４について説明をする。バッテリパック４は、図３（Ａ）〜図５（Ｃ）に示すように、中空の容器からなるバッテリ筐体１１と、そのバッテリ筐体１１の内部に設けたバッテリーセル及び制御回路部と、バッテリ筐体１１の表面に一部が露出するように配置して設けた出力端子１２等を備える。なお、本説明において示すバッテリ筐体１１は、図３（Ａ）に示すように、長手方向をＹ軸方向、幅方向をＸ軸方向、高さ方向をＺ方向として説明をする。バッテリ筐体１１は、一面に開口された容器状の上ケース１３と、この上ケース１３の開口部を閉塞するように装着される蓋体状の下ケース１４とで構成されている。
【００２０】
上ケース１３は、図５（Ａ）に示すように、上面部１３ａと一方の側面部１３ｄが交わる角部及び上面部１３ａと他方の側面部１３ｅが交わる角部には、それぞれ曲率半径の大きな円弧状の面取り部１３ｆ，１３ｆが設けられている。また、図４（Ｂ）に示すように、上面部１３ａの略中央部には、バッテリパック４の出力端子１２のある面を表示する標識である三角マーク１３ｇが設けられている。
【００２１】
下ケース１４は、上ケース１３の上面部１３ａと相対向する略長方形をなし、バッテリ筐体１１の第２の面となる下面部１４ａと、この下面部１４ａの長手方向Ｙの一側から略垂直をなすように連続された正面部１４ｂと、下面部１４ａの長手方向Ｙの他側から所定の段差をもって連続された第３の段差面１５ｃを有する背面部１４ｃと、下面部１４ａの幅方向Ｘの一側から所定の段差をもって連続された第１の段差面１５ａを有する一方の段差部１４ｄと、下面部１４ａの幅方向Ｘの他側から所定の段差をもって連続された第２の段差面１５ｂを有する他方の段差部１４ｅとを有している。図５（Ｂ）に示すように、第３の段差面１５ｃは、中央部を高くした台形状の凸部からなっている。なお、下ケース１４の正面部１４ｂと上ケース１３の正面部１３ｂとによってバッテリ筐体１１の第１の面である正面部が構成されている。
【００２２】
下ケース１４の下面部１４ａには、ラベル貼付用の凹部１４ｆが適当な深さに形成されている。第１の段差面１５ａと第２の段差面１５ｂは、図５（Ｃ）に示すように、下面部１４ａからの高さ方向Ｚの長さ（高さ）が略同じ高さに設定されている。さらに、第１の段差面１５ａと第２の段差面１５ｂの幅方向Ｘの長さ（幅）も、同じく略同じ幅に設定されている。第１の段差面１５ａと第２の段差面１５ｂは、下面部１４ａに対してそれぞれが略平行をなすように形成されている。
【００２３】
また、下ケース１４には、図３（Ａ）及び図３（Ｂ）等に示すように、第２の面である下面部１４ａから幅方向（Ｘ方向）の一側に所定の幅と厚みをもって突出するように形成された第１の係合部１６と、同じく下面部１４ａから幅方向（Ｘ方向）の他側に所定の幅と厚みで突出するように形成された第２の係合部１７が設けられている。第１の係合部１６及び第２の係合部１７は、左右対称をなす形状とされており、各係合部１６，１７の幅（突出量）は、第１の段差面１５ａ及び第２の段差面１５ｂの幅の略１／２に設定されている。また、第１の係合部１６及び第２の係合部１７の厚みは、第１の段差面１５ａ及び第２の段差面１５ｂの高さの１／２若しくはそれ以下に設定されている。
【００２４】
第１の係合部１６は、長手方向Ｙに適宜間隔をあけて、正面部１４ｂ側から順に第１の係合片１６ａ、第２の係合片１６ｂ、第３の係合片１６ｃが設けられている。第１の係合片１６ａと第２の係合片１６ｂとの間に第１の開口部１８ａが設けられ、第２の係合片１６ｂと第３の係合片１６ｃとの間に第２の開口部１８ｂが設けられている。同様に、第２の係合部１７は、長手方向Ｙに適宜間隔をあけて、正面部１４ｂ側から順に第１の係合片１７ａ、第２の係合片１７ｂ、第３の係合片１７ｃが設けられている。第１の係合片１７ａと第２の係合片１７ｂとの間に第１の開口部１９ａが設けられ、第２の係合片１７ｂと第３の係合片１７ｃとの間に第２の開口部１９ｂが設けられている。
【００２５】
第１の係合部１６の第１の係合片１６ａの背面部１４ｃ側には、図３（Ｂ）及び図４（Ａ）等に示すように、第１のリブ２０ａが設けられ、第２の係合片１６ｂの背面部１４ｃ側には第２のリブ２０ｂが設けられ、第３の係合片１６ｃの背面部１４ｃ側には第３のリブ２０ｃが設けられている。同様に、第２の係合部１７の第１の係合片１７ａの背面部１４ｃ側には第１のリブ２１ａが設けられ、第２の係合片１７ｂの背面部１４ｃ側には第２のリブ２１ｂが設けられ、第３の係合片１７ｃの背面部１４ｃ側には第３のリブ２１ｃが設けられている。第１のリブ２０ａ，２１ａ及び第２のリブ２０ｂ，２１ｂの突出量（幅）は、第１の係合片１６ａ，１７ａ及び第２の係合片１６ｂ，１７ｂの突出量（幅）の略１／２に設定されている。これに対して、第３のリブ２０ｃ，２１ｃの突出量（幅）は、第３の係合片１７ｃの突出量（幅）と略同一に設定されている。また、第１の係合片１６ａ、１７ａには、正面部１４ｂ側に装着部３の係合溝３ｆへの係合を容易にするための幅方向（Ｘ方向）にテーパ部１６ｄ、１７ｄが設けられている。さらに、第２の係合片１６ｂ、１７ｂには、正面部１４ｂ側に装着部３の係合溝３ｆへの係合を容易にするための高さ方向（Ｚ方向）にテーパ部１６ｅ、１７ｅが設けられている。
【００２６】
また、下ケース１４の正面部１４ｂ側には、出力端子１２の一部を露出させるための開口部２２が設けられている。開口部２２は、正面部１４ｂから下面部１４ａに至る連続した切欠きとして形成されており、正面部１４ｂでは幅方向Ｘの中間部全体を切欠くように設けられている。下ケース１４の開口部２２の幅方向Ｘの両側部には、バッテリパック４の種類を判別するための２つの判別用凹部２３ａ、２３ｂが設けられている。２つの判別用凹部２３ａ、２３ｂは、バッテリパック４の形状や電力の容量等の種類別に特定の形状に形成されている。この判別用凹部２３ａ、２３ｂには、例えばビデオカメラ２の装着部３に設けられた種類判別用凸部が着脱可能に係合される。
【００２７】
下ケース１４の開口部２２に装着される出力端子１２は、図３（Ａ）、図３（Ｂ）、図５（Ａ）に示すように、下ケース１４の正面部１４ｂと同一平面となる正面部１２ａと、この正面部１２ａと略垂直をなすとともに下ケース１４の下面部１４ａと同一平面となる下面部１２ｂを少なくとも有するブロック状の端子ホルダ２４を有している。端子ホルダ２４には、内部に電極が配置された複数（本実施例では４つ）の電極用スリット２５ａと、これら複数の電極用スリット２５ａの両側に配置された２つの位置決め用スリット２５ｂ，２５ｂが設けられている。この電極用スリット２５ａ及び位置決め用スリット２５ｂは、端子ホルダ２４の角部において正面部から底面にかけて連続する溝状の切込みとして形成されている。
【００２８】
端子ホルダ２４の２つの位置決め用スリット２５ｂ、２５ｂには、例えばビデオカメラ２の装着部３に設けられた端子部３ｃの位置決め用突起がそれぞれ係合される。また、４つの電極用スリット２５ａには、同じく端子部３ｃの電極がそれぞれ係合される。この４つの電極用スリット２５ａの内側に、出力端子１２の図示しない電極がそれぞれ配置されている。この出力端子１２の各電極に、バッテリ筐体１１に内蔵されたバッテリセルが電気的に接続されている。
【００２９】
このような構成を有する下ケース１４で上ケース１３の開口部を閉じるように重ね合わせ、そのように重ね合わせた部分を接合する。この接合方法としては、例えば、接着剤を用いて接合したり、熱溶着して接合してもよく、また、その他の接合方法を用いることができることは勿論である。これにより、上ケース１３と下ケース１４が一体化されたバッテリ筐体１１が構成される。そして、このバッテリ筐体１１の内部に、１又は２以上のバッテリセルと、ＣＰＵやＲＡＭ及びＲＯＭ、インターフェース等を含むマイクロコンピュータを有する制御回路部等が収納されている。バッテリセルと制御回路部とは、互いに電気的に接続されているとともに出力端子１２とも電気的に接続されており、出力端子１２を介して外部の電子機器との間で、バッテリ容量や特性その他の情報をデータ通信可能に構成されている。このようにしてバッテリパック４が構成されている。
【００３０】
バッテリ装着装置１
次に、バッテリ装着装置１について説明をする。バッテリ装着装置１は、図１（Ａ）〜図１（Ｃ）に示すように、ビデオカメラ２の装着部３に装着され、バッテリ装着装置１にバッテリパック４が装着される。
【００３１】
バッテリ装着装置１は、図６に示すように、ビデオカメラ２の装着部３に装着されたときビデオカメラ２と電気的に接続されるコネクタ部３２を有する本体部３１と、一方の面側に、ビデオカメラ２に電力を供給する第１のバッテリパック４が装着される第１のバッテリ装着部４３が設けられ、他方の面側に、ビデオカメラ２に電力を供給する第２のバッテリパック４が装着される第２のバッテリ装着部４４が設けられたバッテリ装着パネル部３３とを備える。また、バッテリ装着装置１は、本体部３１とバッテリ装着パネル部３３とが、バッテリ装着パネル部３３を、図１（Ｂ）に示すような１つのバッテリパック４を装着した第１の状態と、図１（Ｃ）に示すような２つのバッテリパック４、４を装着した第２の状態とに回動支持する支持機構３４により連結されている。なお、実施の形態において示すバッテリ装着装置１は、図６に示すように、長手方向をＹ軸方向、幅方向をＸ軸方向、高さ方向をＺ方向として説明をする。このＸＹＺ方向は、図３において説明をしたバッテリパック４の装着方向と一致するものである。
【００３２】
バッテリ装着装置１の本体部３１は、支持機構３４を介して連結されたバッテリ装着パネル部３３が収納され一面が開口された上ケース３５と、この上ケース３５の開口部を閉塞するように装着されるとともに、コネクタ部３２が設けられる被装着部材３２ａが取り付けられる下ケース３６とから構成されている。
【００３３】
バッテリ装着パネル部３３が収納される本体部３１の上ケース３５は、略長方形をなす上面部３５ａと、この上面部３５ａの幅方向Ｘの一側から略垂直をなすように連続して立ち上がる一方の側壁部３５ｂと、上面部３５ａの幅方向Ｘの他側から略垂直をなすように連続して立ちあがる他方の側壁部３５ｃとからなり、この上面部３５ａと両側壁部３５ｂ、３５ｃとで囲まれる空間にバッテリ装着パネル部３３が収納される収納部３５ｅを形成する。
【００３４】
上ケース３５の上面部３５ａには、略中央部に下ケース３６と連通される開口部３７が設けられ、蓋体３８により閉塞される。また、上面部３５ａの長手方向Ｙの一側には、支持機構３４を固定するための複数の締結孔３９が設けられている。また、上ケース３５の一方の側壁部３５ｂ及び他方の側壁部３５ｃは、上面部３５ａのＸ方向両端からＺ方向に立設されており、互いにバッテリ装着パネル部３３の幅と略同一距離離れており、その高さはバッテリ装着パネル部３３の高さと略同一である。また、両側壁部３５ｂ、３５ｃと上面部３５ａとにより囲まれる空間は、バッテリ装着パネル部３３が収納される収納部３５ｅを構成する。また、両側壁部３５ｂ、３５ｃには、上端において、バッテリ装着パネル部３３の一部を臨ませ、このバッテリ装着パネル部３３を収納部３５ｅから支持機構３４を支点に回動操作する際に、バッテリ装着パネル部３３を掴みやすくする段差部３５ｄ、３５ｄが設けられている。さらに、両側壁部３５ｂ、３５ｃには、それぞれバッテリ装着パネル部３３と対向する側に、係合凸部３５ｆが設けられ、バッテリ装着パネル部３３に設けられる係合凹部３５ｇと係合する。
【００３５】
下ケース３６の下面部３６ａは、図７に示すように、長手方向Ｙの支持機構３４が設けられる側と反対側に、Ｚ方向に所定の高さ立ち上がる立ち上がり壁によって突出形成された突出部３６ｂと、この突出部３６ｂの内周に設けられ、上ケース３５の開口部３７と連通される開口部３６ｃが設けられている。突出部３６ｂは、平面視長方形の開口部３６ｃを囲む立ち上がり壁であり、その上端にコネクタ部３２を有する被装着部材３２ａが嵌め込まれるとともに、突出部３６ｂの内周面に立設される複数のリブ３６ｄが形成されており、このリブ３６ｄに設けられる締結孔３６ｅを介して被装着部材３２ａが固定される。
【００３６】
下ケース３６に取り付けられる被装着部材３２ａは、ビデオカメラ２の装着部３に装着される部材であり、図７に示すように、ビデオカメラ２の装着部３に装着されたときビデオカメラ２と電気的に接続されるコネクタ部３２を有する。被装着部材３２ａは、バッテリパック４の下ケース１４の下面部１４ａと同様の構成を有する。なお、下面部１４ａと同様の構成については、同様の符号を付す。
【００３７】
被装着部材３２ａには、略長方形の上面部３２ｂにおいて、この上面部３２ｂの一方の長辺から所定の幅と厚みをもって突出するように形成された第１の係合部１６と、他方の長辺から所定の幅と厚みをもって突出するように形成された第２の係合部１７とが設けられている。第１及び第２の係合部１６、１７は、左右対称をなす形状とされている。
【００３８】
第１の係合部１６は、一方の短辺側から順に第１の係合片１６ａ、第２の係合片１６ｂ、第３の係合片１６ｃが設けられている。第１の係合片１６ａと第２の係合片１６ｂとの間に第１の開口部１８ａが設けられ、第２の係合片１６ｂと第３の係合片１６ｃとの間に第２の開口部１８ｂが設けられている。同様に、第２の係合部１７には、第１の係合片１７ａ、第２の係合片１７ｂ、第３の係合片１７ｃが設けられている。また、第２の係合部１７には、第１の係合片１７ａと第２の係合片１７ｂとの間に第１の開口部１９ａが設けられ、第２の係合片１７ｂと第３の係合片１７ｃとの間に第２の開口部１９ｂが設けられている。被装着部材３２ａは、ビデオカメラ２の装着部３に装着されたとき、各係合片が係合溝３ｆと係合される位置に設けられている。
【００３９】
また、被装着部材３２ａには、上面部３２ｂの一方の短辺にビデオカメラ２の装着部３に装着されたときにビデオカメラ２と電気的に接続されるコネクタ部３２が設けられている。
【００４０】
コネクタ部３２は、内部に電極が配置された複数（本例では４つ）の電極用スリット２５ａと、これら複数の電極用スリット２５ａの両側に配置された２つの位置決め用スリット２５ｂ，２５ｂが設けられている。この電極用スリット２５ａ及び位置決め用スリット２５ｂは、上面部３２ｂの一方の短辺をなすコーナ部に亘って形成される溝状の切込みとして形成されている。
【００４１】
コネクタ部３２の２つの位置決め用スリット２５ｂ、２５ｂには、ビデオカメラ２の装着部３に設けられた端子部３ｃの位置決め用突起がそれぞれ係合される。また、４つの電極用スリット２５ａには、同じく端子部３ｃの電極がそれぞれ係合される。この４つの電極用スリット２５ａの内側に、コネクタ部３２の電極がそれぞれ配置されている。このコネクタ部３２の各電極は、本体部３１を介してバッテリ装着パネル部３３の第１及び第２のバッテリ装着部４３、４４に設けられる端子群５３と電気的に接続されている。
【００４２】
このような構成を有する下ケース３６で上ケース３５の開口部を閉じるように重ね合わせ、下ケース３６に設けられる締結孔を介してネジにより螺着される。なお、下ケース３６と上ケース３５との重ね合わせた部分を接合するようにしてもよい。この接合方法としては、例えば、嵌め合わせるようにしたり、接着剤を用いて接合したり、熱溶着して接合してもよく、また、その他の接合方法を用いることができることは勿論である。これにより、上ケース３５と下ケース３６とが一体化された本体部３１が構成される。そして、この本体部３１の内部に、バッテリ装着パネル部３３に装着されるバッテリパック４とコネクタ部３２とを接続する接続ケーブルと、保護回路等が収納される。
【００４３】
バッテリ装着パネル部
次に、バッテリ装着装置１のバッテリ装着パネル部３３について説明をする。バッテリ装着パネル部３３は、一方の面に第１のバッテリパック４を装着することができる第１のバッテリ装着部４３と、他方の面に第２のバッテリパック４を装着することができる第２のバッテリ装着部４４とが設けられている。バッテリ装着パネル部３３は、図６〜図９に示すように、第１のバッテリ装着部４３を構成し、第１のバッテリパック４を装着することができる第１のケース４１と、第２のバッテリ装着部４４を構成し、第２のバッテリパック４を装着することができる第２のケース４２とからなる。なお、本実施の形態において示す第１のバッテリパック及び第２のバッテリパックは、便宜上第１のバッテリパック及び第２のバッテリパックと表記するが、同一のバッテリパック４であり、両者に差異はないものである。
【００４４】
バッテリ装着パネル部３３は、第１のケース４１に設けられる第１のバッテリ装着部４３と、第２のケース４２に設けられる第２のバッテリ装着部４４とが対向するように嵌め合わされ一体化される。
【００４５】
第１のバッテリ装着部４３は、第１のケース４１に設けられている。第１のバッテリ装着部４３は、第１のケース４１の上面部４１ａに、長手方向Ｙの正面部４１ｂ側から立ち上がり、装着されるバッテリパック４が装着の際に突き当たる突当て部４５が形成され、幅方向Ｘの両側面部４１ｄ、４１ｅ側に、それぞれ、バッテリパック４の第１及び第２の係合部１６、１７と係合される係合片が形成される所定の高さのガイド壁４６、４７が形成されている。ガイド壁４６、４７は、左右対称をなす形状とされており、その幅方向Ｘの突出量は、バッテリパック４の第１の係合部１６及び第２の係合部１７の突出量と略同一である。また、上面部４１ａと突当て部４５とがなすコーナ部には、バッテリパック４の出力端子１２と電気的に接続される端子部４５ａが形成されている。
【００４６】
第１のバッテリ装着部４３のガイド壁４６には、バッテリパック４の第２の係合部１７と係合される係合片が設けられている。具体的には、ガイド壁４６には、長手方向Ｙに適宜間隔をあけて、正面部４１ｂ側から順に第１の係合片４６ａ、第２の係合片４６ｂ、第３の係合片４６ｃが設けられている。第１の係合片４６ａと第２の係合片４６ｂとの間に第１の開口部４８ａが設けられ、第２の係合片４６ｂと第３の係合片４６ｃとの間に第２の開口部４８ｂが設けられている。同様に、ガイド壁４７には、バッテリパック４の第１の係合部１６と係合される係合片が設けられている。具体的には、ガイド壁４７には、長手方向Ｙに適宜間隔をあけて、正面部４１ｂ側から順に第１の係合片４７ａ、第２の係合片４７ｂ、第３の係合片４７ｃが設けられている。第１の係合片４７ａと第２の係合片４７ｂとの間に第１の開口部４９ａが設けられ、第２の係合片４７ｂと第３の係合片４７ｃとの間に第２の開口部４９ｂが設けられている。
【００４７】
ガイド壁４６、４７の第１の係合片４６ａ、４７ａには、第１の開口部４８ａから介挿されるバッテリパック４の第１の係合片１７ａ、１６ａがそれぞれ係合される。また、第２の係合片４６ｂ、４７ｂには、第２の開口部４８ｂから介挿されるバッテリパック４の第２の係合片１７ｂ、１６ｂがそれぞれ係合される。さらに、第３の係合片４６ｃ、４７ｃには、上面部４１ａの背面部４１ｃ側の開放端から介挿されるバッテリパック４の第３の係合片１７ｃ、１６ｃがそれぞれ係合される。
【００４８】
ガイド壁４６の第２の係合片４６ｂには、第１のリブ５０ａが設けられ、第３の係合片４６ｃには、第２のリブ５０ｂが設けられている。同様に、ガイド壁４７の第２の係合片４７ｂには第１のリブ（不図示）が設けられ、第３の係合片４７ｃには第２のリブ（不図示）が設けられている。
【００４９】
上面部４１ａと突当て部４５とがなすコーナ部には、バッテリパック４の出力端子１２と接続される端子部４５ａの一部を露出させるための開口部５２が設けられている。開口部５２は、正面部４１ｂから上面部４１ａに至る連続した切欠きとして形成されており、正面部４１ｂでは幅方向Ｘの中間部全体を切欠くように設けられている。突当て部４５の開口部５２には、端子部４５ａが取り付けられる。
【００５０】
開口部５２に取り付けられる端子部４５ａは、図６に示すように、コーナ部から長手方向Ｙに立設される端子群５３が設けられている。端子群５３には、中央部に複数（本実施例では４本）の電極５３ａと、これら複数の電極５３ａの両側に配置された２つの位置決め用突起５３ｂ、５３ｂが設けられている。
【００５１】
端子群５３の２つの位置決め用突起５３ｂ、５３ｂには、バッテリパック４に設けられた出力端子１２の位置決め用スリット２５ｂ、２５ｂがそれぞれ係合される。また、４つの電極５３ａは、同じく電極用スリット２５ａにそれぞれ係合される。
【００５２】
第１のケース４１の正面部４１ｂには、支持機構３４が挿通される円弧状の切欠き部５４が形成されている。また、第２のケース４２にも、この円弧状の切欠き部５４と連続して円形状を形成する切欠き部５５が形成され、切欠き部５４、５５を介して支持機構３４とバッテリ装着パネル部３３と連結される。
【００５３】
第１のケース４１の側面部４１ｄ、４１ｅのそれぞれの背面部４１ｃ側の端部近傍には、係合凹部３５ｇが形成されている。係合凹部３５ｇは、バッテリ装着パネル部３３を本体部３１の収納部３５ｅに収まるようにする第１の状態とした際に、上ケース３５の係合凸部３５ｆと対向する位置に設けられている。係合凹部３５ｇと係合凸部３５ｆとは、係合されることにより、第１の状態、すなわちバッテリ装着パネル部３３が収納部３５ｅに収納された状態を保持する。なお、係合凹部３５ｇと係合凸部３５ｆとは、それぞれ側面部４１ｄ、４１ｅと両側壁部３５ｂ、３５ｃに設けられることに限らず、係合凹部３５ｇを両側壁部３５ｂ、３５ｃに設け、係合凸部３５ｆを側面部４１ｄ、４１ｅに設けるようにしてもよい。
【００５４】
ロック機構
第１のケース４１の背面部４１ｃには、装着部３と同様に、バッテリパック４の出力端子１２が第１のバッテリ装着部４３の端子群５３に電気的に接続された状態を保持するためのロック機構５６が設けられている。第１のケース４１の上面部４１ａは、背面部４１ｃ側、すなわち端子群５３が設けられる側とは長手方向Ｙにおいて反対側が開放されており、バッテリパック４を、背面部４１ｃ側から第１のバッテリ装着部４３に挿脱できるようになっている。さらに、背面部４１ｃには、第２のバッテリ装着部４４へのバッテリパック４の装着状態を保持する、すなわち、バッテリパック４の出力端子１２が第２のバッテリ装着部４４の端子群（不図示）に電気的に接続された状態を保持するためのロック機構５７が設けられている。
【００５５】
第１のバッテリ装着部４３のロック機構５６は、図９乃至図１１に示すように、第１のバッテリ装着部４３にバッテリパック４が装着された状態において、上面部４１ａの背面部４１ｃ側が開放された部分でバッテリパック４をロックすることによって、第１のバッテリ装着部４３よりバッテリパック４が不用意に脱落することを防止している。ロック機構５６は、第１のバッテリ装着部４３に装着されたバッテリパック４をロックするロック部材５８を有し、このロック部材５８をロック方向に付勢することにより、上面部４１ａより高さ方向Ｚに突出され、装着されるバッテリパック４を装着する。
【００５６】
第１のバッテリ装着部４３に設けられるロック機構５６は、図８、図９に示すように、略矩形のロック部材５８と、ロック部材５８を上面部４１ａから突出するように付勢する付勢部材５９とから構成されている。
【００５７】
ロック機構５６のロック部材５８は、背面部４１ｃと対向する面の一部と第２のケース４２と対向する面の一部とに亘って切欠かれる切欠き部５８ａと、この切欠き部５８ａの底部に高さ方向Ｚに立設され付勢部材５９を係止するための係止凸部５８ｂと、幅方向Ｘの両側に突出し、第１のケース４１に設けられロック部材５８の移動方向を規制する規制ガイド溝６０を摺動する一対のガイド片５８ｃ、５８ｄとを備えている。さらに、ロック部材５８には、付勢部材５９の付勢に抗してロックを解除する操作をしやすくするために指をかけるための段差部５８ｅが設けられている。
【００５８】
第１のケース４１の背面部４１ｃには、ロック部材５８を収容するための切欠き部６１が設けられ、この切欠き部６１の幅方向Ｘの両側に高さ方向Ｚに延設される規制ガイド溝６０が設けられている。この規制ガイド溝６０には、ロック部材５８のガイド片５８ｃ、５８ｄが係合され、ロック部材５８が高さ方向Ｚに摺動する。また、規制ガイド溝６０には、その高さ方向Ｚの一側、すなわち上面部４１ａ側に、ロック部材５８のガイド片５８ｃ、５８ｄが突き当たり、摺動を規制する突き当たり部６０ａが形成されている。ロック部材５８は、ガイド片５８ｃ、５８ｄが第１のケース４１の背面部４１ｃに設けられる規制ガイド溝６０内を摺動することにより、上面部４１ａから突出した状態に位置することができるとともに、ロック部材５８自体の第１のケース４１からの抜け落ちを防止することができる。
【００５９】
また、第１のケース４１の背面部４１ｃには、第２のバッテリ装着部４４におけるロック機構５７のロック部材６２を第２のケース４２とともに、係止するための切欠き部６３が設けられている。この切欠き部６３の底部には、高さ方向Ｚに立設されロック機構５７の付勢部材６４を係止するための係止凸部６３ａが設けられている。
【００６０】
ロック機構５７は、ロック機構５６と同様の構成を有する。詳細は省略するが、ロック機構５７は、図９乃至図１１に示すように、第２のバッテリ装着部４４にバッテリパック４が装着された状態において、バッテリパック４をロックすることによって、第２のバッテリ装着部４４よりバッテリパック４が不用意に脱落することを防止している。第２のバッテリ装着部４４に設けられるロック機構５７は、図８、図９に示すように、略矩形のロック部材６２と、ロック部材６２をロック部材５８とは反対の方向に付勢する付勢部材６４とから構成されている。また、第２のケース４２には、ロック部材６２を収容するための切欠き部６５が設けられ、この切欠き部６５の幅方向Ｘの両側に高さ方向Ｚに延設される規制ガイド溝６６が設けられている。この規制ガイド溝６６には、ロック部材６２に設けられるガイド片６２ａ、６２ｂが係合され、ロック部材６２が高さ方向Ｚに摺動する。また、規制ガイド溝６６には、その高さ方向Ｚの一側に、ロック部材６２のガイド片６２ａ、６２ｂが突き当たり、摺動を規制する突き当たり部６６ａが形成されている。ロック部材６２は、ガイド片６２ａ、６２ｂが規制ガイド溝６６内を摺動することにより、ロック部材６２自体の第２のケース４２からの抜け落ちを防止することができる。
【００６１】
第１のケース４１と重ね合わされる第２のケース４２は、第１のケース４１と略同一の形状を有し、第１のバッテリ装着部４３と同様の構成からなる第２のバッテリ装着部４４が形成されている。バッテリ装着パネル部３３は、第１のケース４１と第２のケース４２とが重ね合わさることにより形成されるので、第１のバッテリ装着部４３を構成する第１のケース４１と第２のバッテリ装着部４４を構成する第２のケース４２とは相対向する。第２のバッテリ装着部４４は、第１のバッテリ装着部４３と同一の構成を有することから、ここでは、その説明は省略する。
【００６２】
このような構成を有する第１のケース４１と第２のケース４２とを、第１のバッテリ装着部４３と第２のバッテリ装着部４４とが相対向するように重ね合わせ、嵌め合わせることにより接合する。この接合方法としては、例えば、接着剤を用いて接合したり、熱溶着して接合してもよく、また、嵌め合わせる等のその他の接合に類する方法を用いることができることは勿論である。これにより、第１のケース４１と第２のケース４２とが一体化されたバッテリ装着パネル部３３が形成される。
【００６３】
なお、第１のバッテリ装着部４３と第２のバッテリ装着部４４とは、いずれも、バッテリパック４を装着することができるものであることから、２つのバッテリパック４を装着した状態である第２の状態においては、どちらのバッテリパック４を最初に装着したかを認識することができない場合がある。このような場合においては、第１及び第２のバッテリ装着部４３、４４のそれぞれを識別するための識別子、例えば、図６、図８に示すように、バッテリパック４を装着した状態であっても視認することができる数字マーク６７を設けるようにしてもよい。
【００６４】
支持機構３４
続いて、バッテリ装着パネル部３３を第１の状態及び第２の状態とする支持機構３４について、図１２乃至図１６を参照して説明をする。支持機構３４は、バッテリ装着パネル部３３を本体部３１に連結支持する金属製の連結機構であり、バッテリ装着パネル部３３のＺＹ平面における９０°回動（図１（Ｃ）の矢印Ａ方向。）と、この回動軸と直交した軸を中心とする２７０°回動（回転）（図１（Ｃ）の矢印Ｂ方向。）を可能とするものである。なお、以下の説明においては、上述のＺＹ平面における９０°回動を「第１の回動」、第１の回動の回動軸を第１の回動軸１００、この第１の回動軸１００と直交した軸を中心とする２７０°回動（回転）を「第２の回動」、第２の回動の回動軸を第２の回動軸１０１と称して説明をする。
【００６５】
支持機構３４は、本体部７１を有し、この本体部７１のヒンジユニット７６を覆い、ヒンジユニット７６の露出を防止する第１のカバー部材７２と、支持片７４、７５を覆い支持片７４、７５の露出を防止する第２のカバー部材７３とが設けられている。
【００６６】
支持機構３４の本体部７１は、本体部３１と固定されるとともに、バッテリ装着パネル部３３の第１の回動における第１の回動軸１００を支持する一対の支持片７４、７５と、両端において支持片７４、７５に軸支されるヒンジユニット７６と、このヒンジユニット７６とバッテリ装着パネル部３３とを連結するとともに第２の回動を可能とする回動ユニット７７とから構成されている。
【００６７】
支持片７４、７５は、金属製の板状部材を略直角に折り曲げて形成され、第１の回動軸１００を軸支する第１の片７４ａ、７５ａと、第１の片７４ａ、７５ａと略直交する方向に立ち上がる第２の片７４ｂ、７５ｂとからなる。
【００６８】
第１の片７４ａ、７５ａには、略中央に貫通孔７４ｃ、７５ｃが設けられ、第１の回動軸１００が挿通されている。第１の片７４ａには、さらに、貫通孔７４ｃを中心として同一円周上に９０°間隔に４箇所貫通孔７８が設けられている。この貫通孔７８は、後述するフリクション部材７９と第１の片７４ａとの摺動の所定の回動位置においてクリック感を出すとともに、その回動位置で第１の回動を係止するために利用される孔である。
【００６９】
第２の片７４ｂ、７５ｂには、略中央に貫通孔７４ｄ、７５ｄが設けられ、この貫通孔７４ｄ、７５ｄ及び本体部３１の締結孔３９に挿通される図示しないネジにより、本体部７１と本体部３１とが螺着される。また、第２の片７４ｂ、７５ｂには、第１の片７４ａ、７５ａと第２の片７４ｂ、７５ｂとでなすコーナ部近傍に、第１の回動の回動量を規制するための規制孔７４ｅ、７５ｅが設けられている。この規制孔７４ｅ、７５ｅは、第１の回動軸１００の端部に取り付けられる第１の回動を規制する規制部材８０と対向する位置に設けられている。
【００７０】
規制部材８０は、平面視略円形状の円形部８０ａと、円形部８０ａと連続し円形部８０ａから突出された規制片８０ｂと、円形部８０ａの略中央に設けられ第１の回動軸１００が挿通される長孔８０ｃとから構成されている。規制部材８０は、長孔８０ｃに第１の回動軸１００が挿通されることにより、第１の回動軸１００の回動に追随して回動され、規制片８０ｂが支持片７４、７５の規制孔７４ｅ、７５ｅによりその回動量が規制される。すなわち、規制部材８０は、規制部材８０の回動量の規制により、バッテリ装着パネル部３３の第１の回動の回動量を規制することが可能となる。
【００７１】
本体部７１のヒンジユニット７６は、金属板を断面形状略コ字状に折り曲げて形成されるものであり、短冊状の回動支持部８１と、この回動支持部８１の長手方向両端部を折り曲げ形成される被支持片８２、８３と、回動支持部８１の幅方向の一方端部から略直角に立設された回動規制片８４とから構成されている。
【００７２】
回動支持部８１は、金属製の短冊状部材からなり、略中央に挿通孔８１ａが形成されている。この挿通孔８１ａには、後述する回動ユニット７７が挿通される。さらに、回動支持部８１には、挿通孔８１ａ近傍に後述するフリクション部材８６を嵌合するための複数の嵌合孔８１ｂが形成されている。
【００７３】
被支持片８２、８３は、それぞれ回動支持部８１の長手方向両端から折り曲げ形成され、第１の回動軸１００が軸支されている。被支持片８２、８３には、略中央に貫通孔８２ａ、８３ａが形成され、第１の回動軸１００が挿通されている。被支持片８２、８３の貫通孔８２ａ、８３ａは、長孔状に形成されており、第１の回動軸１００とヒンジユニット７６とが同じ回動動作を行う。被支持片８２には、さらに、複数の切欠き部８２ｂが形成され、この切欠き部８２ｂにフリクション部材７９が取り付けられている。
【００７４】
回動規制片８４は、回動支持部８１の幅方向の一方端部から略直角に折り曲げ立設され、回動支持部８１の挿通孔８１ａ近傍に、第２の回動の回動量を規制する規制孔８４ａ、８４ｂが設けられている。この規制孔８４ａ、８４ｂは、第２の回動軸１０１の端部に取り付けられる第１の回動を規制する規制部材８７と対向する位置に設けられている。
【００７５】
回動ユニット７７は、バッテリ装着パネル部３３と本体部３１とを連結するとともに、バッテリ装着パネル部３３に第２の回動を可能とする。回動ユニット７７は、板状の基部８８と、基部８８の略中央から立設される第２の回動軸１０１とから構成されている。
【００７６】
回動ユニット７７の基部８８は、バッテリ装着パネル部３３の第１のケース４１と第２のケース４２との内部に設けられる空間部９０（図１０参照。）にはめ込まれ、バッテリ装着パネル部３３と第２の回動軸１０１とを連結する。第２の回動軸１０１は、第１のケース４１の切欠き部５４と第２のケース４２の切欠き部５５から外部に臨まされる。第２の回動軸１０１は、軸方向に貫通孔が形成され、この貫通孔内にケーブルが挿通され、バッテリ装着パネル部３３の端子群とコネクタ部３２とを電気的に接続することが可能となる。第２の回動軸１０１は、ヒンジユニット７６の回動支持部８１の挿通孔８１ａに挿通されるとともに、フリクション部材８６も挿通され、端部において、規制部材８７が嵌め込まれている。
【００７７】
このように、支持機構３４は、本体部７１が支持片７４、７５において本体部３１と固定され、この本体部７１のヒンジユニット７６において回動ユニット７７を介して連結されたバッテリ装着パネル部３３を第１の回動及び第２の回動を行なえるようにすることができる。
【００７８】
次に、第１の回動においてクリック感を奏するフリクション部材７９について説明をする。フリクション部材７９は、図１３に示すように、円形部材７９ａと、この円形部材７９ａの周縁で被支持片８２の切欠き部８２ｂと対向する位置に立設された係止片７９ｂ、７９ｂとから構成されている。
【００７９】
円形部材７９ａは、平面視略円形であり、略中央に第１の回動軸１００が挿通される挿通孔７９ｃが形成されている。また、円形部材７９ａは、図１６に示すように、側面視山状に湾曲して形成されている。具体的には、円形部材７９ａは、被支持片８２の切欠き部８２ｂに係止される一方の係止片７９ｂから一旦隆起し、略中央において最上部となり、他方の係止片７９ｂにしたがい沈下する形状を有する。円形部材７９ａの最上部には、支持片７４の貫通孔７８と対向し、貫通孔７８と係止される係止凸部９１が２箇所設けられている。
【００８０】
このような構成を有するフリクション部材７９は、支持片７４と被支持片８２との間に設けられ、支持片７４と被支持片８２とが離間する方向に付勢された状態で、被支持片８２に係止される。フリクション部材７９は、バッテリ装着パネル部３３の第１の回動、すなわちヒンジユニット７６の第１の回動軸１００を中心とした回動に応じて回動される。このとき、フリクション部材７９は、支持片７４と被支持片８２とが離間する方向に付勢された状態で取り付けられているので、この第１の回動軸１００を中心とした回動に適度なフリクションを付与することができる。さらに、フリクション部材７９は、所定の回動位置、本例においては、バッテリ装着パネル部３３が本体部３１に収納された回動位置と、当該回動位置から９０度回動された回動位置とにおいて、係止凸部９１が支持片７４の貫通孔７８に係止される構成とされており、このため、当該回動位置において、クリック感を奏することができる。
【００８１】
次に、第２の回動においてクリック感を奏するフリクション部材８６と第２の回動の回動量を規制する規制部材８７について説明をする。フリクション部材８６は、図１２に示すように、略長方形状からなる長方形部材８６ａと、この長方形部材８６ａの角部に設けられた接地片８６ｂと、長方形部材８６ａの短辺中央に設けられ、ヒンジユニット７６の回動支持部８１の嵌合孔８１ｂに嵌合される嵌合片８６ｃとから構成されている。
【００８２】
長方形部材８６ａは、平面視略長方形状であり、略中央に第２の回動軸１０１が挿通される挿通孔８６ｄが形成されている。また、長方形部材８６ａは、図１５に示すように、側面視山状に湾曲して形成されている。具体的には、長方形部材８６ａは、支持片７４側に設けられた接地片８６ｂ、８６ｂから、支持片７５側に設けられた接地片８６ｂ、８６ｂにかけて、一旦隆起し、略中央において最上部となり、沈下する形状を有する。長方形部材８６ａの最上部には、規制部材８７に設けられる規制凹部８７ｃ、８７ｃと対向し、規制凹部８７ｃと係止される係止凸部９２が２箇所設けられている。
【００８３】
規制部材８７は、平面視略円形状の円形部８７ａと、円形部８７ａと連続し円形部８７ａから突出された規制片８７ｂと、フリクション部材８６の係止凸部９２と対向する位置に設けられた規制凹部８７ｃ、８７ｃと、円形部８７ａの略中央に設けられ第２の回動軸１０１が挿通される長孔８７ｄとから構成されている。
【００８４】
規制部材８７は、長孔８７ｄに第２の回動軸１０１が挿通されることにより、第２の回動軸１０１の回動に追随して回動され、規制片８７ｂが回動規制片８４の規制孔８４ａによりその回動量が規制される。すなわち、規制部材８７は、規制部材８７の回動量の規制により、バッテリ装着パネル部３３の第２の回動の回動量を規制することが可能となる。規制部材８７の規制片８７ｂは、図１６（Ｂ）に示すように、図１６（Ａ）の矢印Ａに示す方向に回動された場合には、規制片８７ｂの一方端部が規制孔８４ａに当接され、回動量を規制する（本例においては、矢印Ａ方向には９０度の回動量を示す。）。また、規制部材８７の規制片８７ｂは、図１６（Ｃ）に示すように、図１６（Ａ）の矢印Ｂに示す方向に回動された場合には、規制片８７ｂの他方端部が規制孔８４ｂに当接され、その回動量を規制する（本例においては、矢印Ｂ方向には１８０度の回動量を示す。）。第２の回動軸１０１は、この規制部材８７により、その回動量が最大で２７０度に制限されており、第２の回動軸１０１内部に挿通されるケーブルの不要なねじれ、この不要なねじれによるケーブルの切断を防止することができる。
【００８５】
このような構成を有するフリクション部材８６は、回動支持部８１と規制部材８７との間に設けられ、回動支持部８１と規制部材８７とが離間する方向に付勢された状態で、回動支持部８１と嵌合される。フリクション部材８６は、バッテリ装着パネル部３３の第２の回動、すなわち第２の回動軸１０１を中心とした回動に応じて回動される。このとき、フリクション部材８６は、回動支持部８１と規制部材８７とが離間する方向に付勢された状態で取り付けられているので、この第２の回動軸１０１を中心とした回動に適度なフリクションを付与することができる。さらに、フリクション部材８６は、所定の回動位置、本実施の形態においては、バッテリ装着パネル部３３が本体部３１の９０度ごとの回動位置において、係止凸部９２が規制部材８７の規制凹部８７ｃに係止される構成とされており、このため、当該回動位置において、クリック感を奏することができる。
【００８６】
保護回路
次に、バッテリ装着装置１の本体部３１内に収納される保護回路１１０について説明をする。バッテリ装着装置１が備える保護回路１１０は、図１７に示すように、第１及び第２のバッテリ装着部４３、４４のそれぞれの端子と接続される端子１１３〜１１６と、電流の逆流を防止するダイオード１１１、１１２から構成されている。保護回路１１０は、第１のバッテリ装着部４３の電極５３ａの＋端子と端子１１３とが接続され、ダイオード１１１を介してビデオカメラ２と接続されている。また、保護回路１１０は、第２のバッテリ装着部４４の電極の＋端子と端子１１４とが接続され、ダイオード１１２を介してビデオカメラ２と接続されている。さらに、保護回路１１０は、第１のバッテリ装着部４３の電極５３ａの−端子と端子１１５とが接続され、第２のバッテリ装着部４４の電極の−端子と端子１１６とが接続され、それぞれがビデオカメラ２と接続されている。このような保護回路を設けることにより、バッテリ装着装置１では、バッテリパック４を２つ取り付けた状態（第２の状態）であっても、電流が逆流することなく、安全に取り扱うことができる。
【００８７】
バッテリ交換
続いて、上述のような構成を備えるバッテリ装着装置１を用いて、ビデオカメラ２の電源を切らずにバッテリパック４の交換を行う方法について説明をする。
【００８８】
まず、バッテリ装着装置１は、図１（Ａ）に示すように、ビデオカメラ２の装着部３に装着される。そして、バッテリ装着装置１は、図１（Ｂ）に示すように、バッテリパック４がバッテリ装着パネル部３３の第１のバッテリ装着部４３に装着され、コネクタ部３２がビデオカメラ２の装着部３に装着されて使用される。
【００８９】
ここで、バッテリ装着装置１とビデオカメラ２との装着について説明をする。なお、バッテリ装着装置１の被装着部材３２ａとバッテリパック４の下ケース１４とは、同一の形状を有することから、ビデオカメラ２は、バッテリ装着装置１を使用しないで、直接バッテリパック４を装着部３に装着して使用することができるのは勿論である。
【００９０】
ビデオカメラ２の装着部３に装着されるバッテリ装着装置１は、ビデオカメラ２の機器本体５の底面部側の開放端から、それぞれの係合片が係合されるようにして装着される。具体的には、バッテリ装着装置１は、ビデオカメラ２のロック部材９ａ（図２参照）を、被装着部材３２ａの上面部３２ｂで付勢力に抗する方向に押圧し、その状態から、バッテリ装着装置１を機器本体５の上面側にスライドするようにして、各係合片を係合させる。このとき、バッテリ装着装置１の被装着部材３２ａの第１及び第２の係合部１６、１７は、装着部３の係合溝３ｆに係合されるとともに、被装着部材３２ａのコネクタ部３２と端子部３ｃとが電気的に接続される。被装着部材３２ａのコネクタ部３２の２つの位置決め用スリット２５ｂ、２５ｂは、端子部３ｃの位置決め用突起とそれぞれ係合される。また、４つの電極用スリット２５ａは、端子部３ｃの電極とそれぞれ係合される。第１及び第２の係合部１６、１７が係合溝３ｆに係合される位置まで挿入されると、ロック部材９ａは、再び上面部３ａに突出し、バッテリ装着装置１をロックする。このようにして、バッテリ装着装置１は、ビデオカメラ２に装着される。
【００９１】
次に、第１のバッテリ装着部４３とバッテリパック４との装着について説明をする。第１のバッテリ装着部４３に装着されるバッテリパック４は、第１のケース４１の上面部４１ａの背面部４１ｃ側の開放端からそれぞれの係合片が係合されるようにして装着される。具体的には、バッテリパック４は、まず、上面部４１ａに突出されるロック部材５８（図６参照）を、バッテリパック４の下面部１４ａで付勢部材５９の付勢力に抗する方向に押圧し、その状態から、バッテリパック４を正面部４１ｂ側にスライドするようにして、各係合片を係合させる。第１のバッテリ装着部４３の第１の係合片４６ａ、４７ａは、第１の開口部４８ａから介挿されるバッテリパック４の第１の係合片１７ａ、１６ａとそれぞれ係合される。また、第１のバッテリ装着部４３の第２の係合片４６ｂ、４７ｂは、第２の開口部４８ｂから介挿されるバッテリパック４の第２の係合片１７ｂ、１６ｂとそれぞれ係合される。さらに、第１のバッテリ装着部４３の第３の係合片４６ｃ、４７ｃは、上面部４１ａの背面部４１ｃ側の開放端から介挿されるバッテリパック４の第３の係合片１７ｃ、１６ｃとそれぞれ係合される。また、第１のバッテリ装着部４３の端子群５３の２つの位置決め用突起５３ｂ、５３ｂには、バッテリパック４に設けられた出力端子１２の位置決め用スリット２５ｂ、２５ｂがそれぞれ係合される。また、４つの電極５３ａは、同じく電極用スリット２５ａにそれぞれ係合される。各係合片が係合される位置まで挿入されると、ロック部材５８は、再び上面部４１ａに突出し、バッテリパック４をロックする。
【００９２】
このようにして、バッテリパック４と第１のバッテリ装着部４３とは、それぞれの係合片同士が係合され、端子群５３と出力端子１２とが電気的に接続されるとともに、ロック部材５８により、装着状態を保持する。
【００９３】
ここで、ユーザが、ビデオカメラ２による撮影を続けながら、現在ビデオカメラ２に装着されているバッテリパック４を別のバッテリパック４と交換したいと所望するときには、バッテリ装着パネル部３３を第１の回動、すなわち支持機構３４の第１の回動軸１００を中心にして、略９０度回動させる。次に、ユーザは、バッテリ装着パネル部３３を第２の回動、すなわち第１の回動軸１００と直交する第２の回動軸１０１を中心にして、略９０度回動させる（図１６（Ｂ）参照。）。このとき、バッテリ装着パネル部３３は、収納部３５ｅから離れ、第２のバッテリ装着部４４が開放された状態にある。
【００９４】
次に、ユーザは、開放された第２のバッテリ装着部４４に、新しい別のバッテリパック４を装着する。このときの状態は、図１（Ｃ）に示す状態であり、いわゆる第２の状態である。
【００９５】
次に、ユーザは、第１のバッテリ装着部４３に装着されたバッテリパック４を取り外す。バッテリパック４の第１のバッテリ装着部４３からの取り外し方は、装着時の操作と逆の手順を踏むことにより行える。具体的には、ロック部材５８の段差部５８ｅを用いて、ロック部材５８を付勢部材５９の付勢力に抗する方向に押圧操作し、バッテリパック４を上面部４１ａの開放端側に向けてスライドさせながら、それぞれの係合片の係合を解除する。各係合片が解除された状態からバッテリパック４を上面部４１ａから離間する方向に移動させることにより、第１のバッテリ装着部４３から取り外すことができる。
【００９６】
最後に、ユーザは、バッテリ装着パネル部３３を第２の回動、すなわち第２の回動軸１０１を中心にして、反対方向に略２７０度回動させる（図１６（Ｃ）参照。）。そして、バッテリ装着パネル部３３が収納部３５ｅに収納されるように第１の回動をさせ、再び第１の状態にする（図１６（Ｂ）参照。）。
【００９７】
このようにして、バッテリ装着装置１は、電源を切らずに、すなわち連続撮影をしながら、バッテリパック４の交換を行うことができる。
【００９８】
さらに、バッテリ装着装置１は、第２の状態において、２つのバッテリパック４、４を装着した状態とすることができ、電源を切らずに、長時間の連続撮影を行うことができる。このとき、バッテリ装着装置１は、保護回路を有することから、２つのバッテリパック４、４を装着した状態であっても、一方のバッテリパックに電流が逆流することがなく、安全に使用することができる。
【００９９】
以上のような構成を有するバッテリ装着装置１は、ビデオカメラ２の電源を切らずにバッテリパック４の交換を行うことができ、バッテリパック４交換時にビデオカメラ２の連続使用を実現することができる。また、本発明は、２つのバッテリパックを同時に装着して電子機器を使用することができ、２個のバッテリパックの容量分だけ長時間の撮影が可能となる。そのため、バッテリ装着装置１では、市販されている最大容量のバッテリパックよりも長い撮像時間を実現できる。さらに、残量が少ないバッテリパックを複数装着することにより、残量の少ないバッテリパックを用いての連続撮影を実現することができる。
【０１００】
なお、バッテリ装着装置１は、上述のように、特定のビデオカメラ２に装着されることに限らず、様々な電子機器に装着するようにしてもよい。その際、電子機器によっては、物理的にコネクタ部３２を電子機器側の装着部に装着することができないことも考えられる。このような場合には、バッテリ装着装置１は、図１８に示すように、本体部３１の下ケース３６を交換可能とすることで、対応することができる。具体的には、本体部３１の下ケース３６の代わりをなす下ケース９９は、外形形状は下ケース３６と同様であるが、下面部３６ａにおける突出部３６ｂの位置が異なる。このように、突出部３６ｂを様々な位置とした下ケースを用意し、電子機器側の形状に応じて交換することにより、より多くの電子機器への装着を実現することができる。なお、この交換用の下ケースは、上述のように立壁部の位置を変えることに限らず、その高さも異なるようなものであってもよい。さらに、コネクタ部３２が設けられる被装着部材３２ａは、下ケース３６と同様に、交換可能とすることができるのは勿論である。
【０１０１】
このように、下ケース３６やコネクタ部３２を交換可能とすることにより、様々なバッテリ装着部を有する電子機器に装着することができるとともに、製造時に、この下ケース３６以外の部品を共通化することができ、コスト削減が図られる。なお、下ケース３６と同様に、コネクタ部３２も交換可能とすることにより、様々な形状を有するバッテリ装着部に装着することができることは勿論である。
【０１０２】
なお、本発明は上述した実施の形態のみに限定されるものではなく、本発明の要旨を逸脱しない範囲において種々の変更が可能であることは勿論である。
【図面の簡単な説明】
【０１０３】
【図１】本発明に係るバッテリ装着装置の使用例を示す斜視図である。
【図２】ビデオカメラのバッテリ装着部を示す斜視図である。
【図３】バッテリパックを示す図であり、（Ａ）は、斜視図であり、（Ｂ）は、下ケースの下面図である。
【図４】バッテリパックを示す図であり、（Ａ）は、左側面図であり、（Ｂ）は、上ケースの上面図である。
【図５】バッテリパックを示す図であり、（Ａ）は、正面図であり、（Ｂ）は、背面図であり、（Ｃ）は、図４（Ａ）のＡ−Ａ’線における断面図である。
【図６】本発明に係るバッテリ装着装置の分解斜視図である。
【図７】本体部の下ケース及び被装着部材の斜視図である。
【図８】バッテリ装着パネル部の分解斜視図である。
【図９】ロック機構を説明するためのバッテリ装着パネル部の分解斜視図である。
【図１０】ロック機構を説明するためのバッテリ装着パネル部のＸＹ平面における断面図である。
【図１１】ロック機構を説明するためのバッテリ装着パネル部のＺＸ平面における断面図である。
【図１２】支持機構の一部分解斜視図である。
【図１３】支持機構の一部分解斜視図である。
【図１４】支持機構の斜視図である。
【図１５】支持機構の平面図である。
【図１６】支持機構の正面図である。
【図１７】保護回路を説明するための概略図である。
【図１８】下ケースの他の実施の形態を示す平面図である。
【符号の説明】
【０１０４】
１  バッテリ装着装置、２  ビデオカメラ、３  装着部、４  バッテリパック、５  機器本体、６  撮像部、７  表示パネル、８  操作ボタン群、９  ロック機構、１１  バッテリ筐体、１２  出力端子、１３  上ケース、１４  下ケース、１６  第１の係合部、１７  第２の係合部、２４  端子ホルダ、３１  本体部、３２  コネクタ部、３２ａ  被装着部、３３  バッテリ装着パネル部、３４  支持機構、３５  上ケース、３６  下ケース、３８  蓋体、４１  第１のケース、４２  第２のケース、４３  第１のバッテリ装着部、４４  第２のバッテリ装着部、４５  突当て部、４６、４７  ガイド壁、５３  端子群、５６、５７  ロック機構、５９、６４  付勢部材、６０、６６  規制ガイド溝、７１  本体部、７２、７３  カバー部材、７４、７５  支持片、７６  ヒンジユニット、７７  回動ユニット、７９、８６  フリクション部材、８０、８７  規制部材、８１  回動支持部、８２  被支持片、８４  回動規制片、８８  基部、９０  空間部、９１、９２  係止凸部、１００  第１の回動軸、１０１  第２の回動軸、１１１、１１２  ダイオード
【図１】
2009205980.tif 000003
【図２】
2009205980.tif 000004
【図３】
2009205980.tif 000005
【図４】
2009205980.tif 000006
【図５】
2009205980.tif 000007
【図６】
2009205980.tif 000008
【図７】
2009205980.tif 000009
【図８】
2009205980.tif 000010
【図９】
2009205980.tif 000011
【図１０】
2009205980.tif 000012
【図１１】
2009205980.tif 000013
【図１２】
2009205980.tif 000014
【図１３】
2009205980.tif 000015
【図１４】
2009205980.tif 000016
【図１５】
2009205980.tif 000017
【図１６】
2009205980.tif 000018
【図１７】
2009205980.tif 000019
【図１８】
2009205980.tif 000020